(57)【要約】【課題】利用者に面倒な操作を強いらず、導電性液体の付着や導電性金属との接触にも誤作動を起こさず、自動的に音声信号出力のオン／オフを切り換えられるマイクロホン、特に、カラオケ利用のために供されるマイクロホンを提供する。【解決手段】音声信号出力のオン／オフを制御するための制御手段９を内蔵する共に、グリップ部の所定部に検温センサ８を設け、制御手段９は、検温センサ８の検出温度が予め設定された基準値の範囲の内であるときに音声信号出力をオン状態に制御し、検温センサ８の検出温度が前記範囲の外であるときに音声信号出力をオフ状態に制御する。【選択図】図１
2007274121.tif 000002
【特許請求の範囲】
【請求項１】
音声信号出力のオン／オフを制御するための制御手段を内蔵すると共に、グリップ部の所定部には検温センサが設けられてなり、前記制御手段は、前記検温センサの検出温度が予め設定された基準値の範囲の内であるときに前記音声信号出力をオン状態に制御し、前記検温センサの検出温度が前記範囲の外であるときに音声信号出力をオフ状態に制御することを特徴とするマイクロホン。
【請求項２】
上記検温センサによる検出温度の上記基準値の範囲が、健常者の体温の範囲内に設定されている請求項１に記載のマイクロホン。
【請求項３】
上記検温センサが、前記グリップ部の全周に亘って配置されている請求項１または２に記載のマイクロホン。
【発明の詳細な説明】
【技術分野】
【０００１】
本発明はカラオケマイクなどとして使用する手持ち型のマイクロホンにするものである。
【背景技術】
【０００２】
ワイヤードやワイヤレスのマイクロホンは、一般的に、利用者の声を増幅して発音させるために利用される。例えば、カラオケ利用においては、歌唱者の音声信号出力を送信し、カラオケ装置では、この音声信号と伴奏音楽とを合成して所定のサウンドシステムから発音させるなどとして利用される。通常、マイクロホンのグリップ部には、サラウンドシステム側への音声信号出力のオン／オフを切り換えるための機械式のスイッチが設けられており、特に、カラオケ利用の場合、このスイッチは、歌唱が終わった都度、オフにする必要があった。これは、歌唱者以外の人の声を拾ったり、ヘッド部をスピーカに向けるとハウリングを起こしたり、あるいは、ワイヤレスマイクでは無駄に電気を消耗するなどを防止するためである。
すなわち、このような仕組みであると、利用者が一々スイッチを入れたり切ったりする操作が面倒であったり、また、カラオケ利用において、「場」の雰囲気に呑まれて操作を忘れると上記トラブルが発生することもあり、大変、不便であり不都合である。そこで、手動の機械式スイッチではなく、自動的に音声信号出力をオン／オフする仕組みが求められた。
【０００３】
従来のマイクロホンの音声信号出力を自動的にオン／オフする技術としては、例えば、特許文献１（特開平７−１５２３９０号公報）では、カラオケ装置にて楽曲の進行に応じ、歌唱を行うべき期間においてはオン状態に設定され、それ以外の期間ではオフ状態に設定されるという技術が提案されている。さらに、特許文献２（特開２０００−７８６７９号公報）では、グリップ部に導電性の接触部を設け、この接触部への接触／非接触によって生じる電気変動を検出し、音声信号出力のオン／オフを行う技術が開示されている。
【特許文献１】特開平７−１５２３９０号公報
【特許文献２】特開２０００−７８６７９号公報
【発明の開示】
【発明が解決しようとする課題】
【０００４】
しかしながら、特許文献１では、マイクロホンのカラオケ利用以外では「歌唱区間」という概念はないので適用が不可となり、また、カラオケ利用の場合でも、歌唱しない曲間に前フリや口上を述べる場合には適用が不可となる。また、特許文献２では、特に、カラオケでの利用の場合には、テーブルに多くの飲食物が並べられている中、そのテーブル上にマイクロホンが放置される状況下、電気変動の検出部に、液状やゲル状の調味料や飲料あるいはスープ類などの導電性液体が付着したり、灰皿や腕時計あるいは装飾品などの導電性金属が接触した場合などでは誤作動を起こすなどの問題が生じる。
そこで、本発明は、利用者に面倒な操作を強いらず、導電性液体の付着や導電性金属との接触にも誤作動を起こさず、自動的に音声信号出力のオン／オフを切り換えられるマイクロホン、特に、カラオケ利用のために供されるマイクロホンの提供を課題とする。
上記課題を鑑み、本発明者は、マイクロホンのグリップ部に、利用者の手から体温を検出するセンサを設け、この検温センサから検出された温度と予め設定された温度との比較の結果に基づいて、音声信号出力を自動的にオン／オフするように制御することで、上記課題が解決できることを見出し、本発明を想到した。
【課題を解決するための手段】
【０００５】
本発明は上記課題を考慮してなされたもので、音声信号出力のオン／オフを制御するための制御手段を内蔵すると共に、グリップ部の所定部には検温センサが設けられてなり、前記制御手段は、前記検温センサの検出温度が予め設定された基準値の範囲の内であるときに前記音声信号出力をオン状態に制御し、前記検温センサの検出温度が前記範囲の外であるときに音声信号出力をオフ状態に制御することを特徴とするマイクロホンを提供して、上記課題を解消するものである。
そして、本発明において、上記検温センサによる検出温度の上記基準値の範囲が、健常者の体温の範囲内に設定されていることが良好である。
また、本発明において、上記検温センサが、前記グリップ部の全周に亘って配置されていることが良好である。
【発明の効果】
【０００６】
（請求項１の発明の効果）
請求項１の発明のマイクロホンによれば、例えば、予め設定された基準値の検出温度以上を範囲内と設定し、それを越えない場合を範囲外と設定した場合、利用者がマイクロホンの利用時に、そのグリップ部を握った状態では、利用者の手が検温センサに触れて検出温度が上昇し、基準値以上となった段階で自動的に音声信号出力がオン状態となる。そして、歌唱後に手を離した状態では、検温センサが空気に露出することから検出温度が下降し、基準値未満になった段階で自動的に音声信号出力がオフ状態となる。すなわち、利用者が一々スイッチを入れたり切ったりする操作が必要なく、また、検温センサは温度を検出するものであるため、導電性液体が付着したり導電性金属が接触したりしても誤作動を起こさないという効果を奏する。
（請求項２の発明の効果）
また、請求項２の発明のマイクロホンによれば、検温センサによる検出温度の基準値の範囲が、健常者の体温（36.89±0.34℃：略３６．５〜３７．３℃）とういう極めて狭い範囲内に設定されているため、特に、カラオケ利用に際し、仮に、導電性のある調味料や飲料あるいはスープ類などが保温されている場合、それらが付着しても、保温状態が上記体温と全く同じ温度範囲でない限り誤作動しないため、その誤動作の可能性は極めて低くなる。
（請求項３の発明の効果）
さらに、請求項３の発明のマイクロホンによれば、検温センサがグリップ部の所定部にて、その全周に亘って配置されていることから、利用者の握り位置に関係なく、例えば、最も検温が採りやすい手のひらが検温センサに当たるため、より正確な検温ができる。
【発明を実施するための最良の形態】
【０００７】
つぎに本発明を図１に示す実施の例に基づいて詳細に説明する。
図中１はマイクロホンで、該マイクロホン１は、手で握り持つ場合に適した細長のコーン形状としたグリップ部２の上部に、音声信号出力手段である内方のマイクユニット３をヘッドケース４とポップフィルター（図示せず）で覆ってなるヘッド部５を配置するとともに、グリップ部２の下部に、音声信号を無線信号として発信する機構を備えた音声信号発信部６を配置したものであり、グリップ部２の内部に組み込まれた電源７からの給電ａを受ける前記マイクユニット３が、歌唱者の音声を音声信号（電気信号）に変換して出力ｂし、この音声信号が、同じく前記電源７からの給電を受ける音声信号発信部６を介して無線信号として図示していないサウンドシステムの入力部などに発信出力されるようにしたワイヤレスタイプのものである。
【０００８】
本マイクロホン１においては図示されているように上記グリップ部２の周辺に亘ってマイクロホン１の高さ方向に二段にして検温センサ８が設けられていて、歌唱者がマイクロホン１を持つときにはこの検温センサ８が歌唱者の手のひらに確実に接触するものとされている。
この検温センサ８は上記電源７からの給電ｃを継続的に受けるものであって、給電されているときには検温センサ８の周りの温度を検出する動作を連続して行なっており、何らの物品や人の手などが触れていない状態ではグリップ部２の周りの空気温度を検出することとなり、また、歌唱者がマイクロホン１を持ったときには上述したように手のひらがこの検温センサ８に接触するため、その歌唱者の体温を検出することになる。
さらに検温センサ８は、グリップ部２の内部に組み入れられた電子装置などから構成されている制御手段９に接続されていて、検温センサ８が検出した検出温度を検出温度情報として常時この制御手段９に出力ｄしている。
【０００９】
制御手段９は上記検温センサ８が接続されて上述のように継続的に検出温度情報が入力（上記ｄ）されるとともに、図示されているようにマイクユニット３と、電源７のマイクユニット３への給電システム部分１０に接続されていて、マイクユニット３の音声変換の調整に関する制御およびその音声信号出力の稼動と停止の切換え（オンとオフとの切換え）を制御し、さらに給電システム部分１０についても、マイクユニット３への給電動作の稼動と停止の切換え（オンとオフとの切換え）を制御するように設けられている。図１においてマイクユニット３に対する制御信号の出力をｅで示し、給電システム部分１０に対する制御信号の出力をｆで示した。
上記音声信号発信部６へは電源７より常時、給電ｇされて動作を継続する。この音声信号発信部６へは制御手段９での制御を行なわないが、制御手段９の下で発信動作の稼動と停止の切換え（オンとオフの切換え）をこの制御手段９によって制御するようにしてもよい。
【００１０】
上記制御手段９では、歌唱者がマイクロホン１を持ったときに音声信号の出力ができる稼動（オン）の状態となるように以下の制御が行なわれるようにしている。
制御手段９には上述したように検温センサ８から常に検出温度情報が入力（上記ｄ）され、この検出温度情報である検出温度が、予め設定された基準値の範囲の内であるかどうかを比較する。そして、比較の結果において、前記検出温度が基準値の範囲の内であるときには、上記マイクユニット３をオンとし、前記検出温度が基準値の範囲の外であるときには、マイクユニット３をオフとする。このとき、事前に設定されている基準値は摂氏３０度とし、基準値の範囲の内とする設定は摂氏３０度以上とされ、この条件が制御手段９に設けられている。基準値である摂氏３０度の条件自体は一例であるが、人の手の温度を検出して、その人（歌唱者）がマイクロホン１を持っていると判断できる温度設定であればよく、摂氏３０度とすることが良好である。
上述のように制御することによって、マイクロホン１がテーブル上に置かれている状態やスタンドに立てられている状態のときには、検温センサ８から得られる検出温度が摂氏３０度に達しているものではないため、マイクユニット３はオフ（音声信号の出力を不可とする状態）となり、よって、マイクロホン１の近くで音が鳴ったとしてもサウンドシステムが反応することはない。一方、歌唱者がマイクロホン１のグリップ部２を握るとその歌唱者の手が検温センサ８に触れるため、検温センサ８が検出してなる検出温度が温度値として急速に増加し、検出温度が摂氏３０度以上となったときに、マイクユニット３がオン（音声信号の出力ができる稼動の状態）となる。よって、グリップ部２を握っている歌唱者の音声がマイクユニット３に達すれば、音声信号が音声信号発信部６に出力ｂされてサウンドシステムから音声が出力されることとなる。そして、歌唱者がマイクロホン１から手を離して検温センサ８が検出してなる検出温度が摂氏３０度より下がれば、上述したようにマイクユニット３がオフとなる。
【００１１】
制御条件は、基準値を摂氏３０度とし、基準値の範囲を摂氏３０度以上としたものであるが、これに限定されるものではなく、基準値の範囲を健常者の体温の範囲（３６．８９±０．３４摂氏、約３６．５〜３７．３℃）という極めて狭いものとしてもよい。換言すれば、３６．５℃未満の温度範囲、および３７．３℃を越える温度範囲では、マイクユニット３がオフになるように設定し、上記健常者の体温の範囲内ではオンになるように設定する。このようにすれば、テーブルなどに置かれて不使用の状態となっているマイクロホン１の上記検温センサ８に熱い食品などが接触したような場合でも、検出温度が前記基準値の範囲であることは殆どないものであるため、カラオケ店舗や一般家庭でのマイクロホン使用に際しては、誤ってマイクロホン１のマイクユニット３がオンに切り換わる可能性を無くすことができる。
【００１２】
なお、上述したように音声信号の出力ができる状態とできない状態との切換えを、制御手段９が直接、マイクユニット３に対して行なう直接制御の例を示したが、マイクユニット３につながる電源７の給電システム部分１０での稼動と停止とを制御して、これをもってマイクロユニット３のオンとオフとを制御する間接制御としてもよい。
また、ワイヤレスのマイクロホンを例示したが、音声信号発信部に代えてコネクタが配されてこれにサウンドシステムからのケーブルが接続されているワイヤードのものであっても本発明は実施できるものである。
【図面の簡単な説明】
【００１３】
【図１】本発明に係るマイクロホンの一例を示す説明図である。
【符号の説明】
【００１４】
１…マイクロホン
２…グリップ部
３…マイクユニット
４…ヘッドケース
５…ヘッド部
６…音声信号発信部
７…電源
８…検温センサ
９…制御手段
１０…給電システム部分
【図１】
2007274121.tif 000003